(57)【要約】【課題】  キャビネットの開口部を開閉するシャッターの格納装置において、開口部の間口が広い場合でもシャッターの戸尻部分を小スペースの格納部に屈曲状態で格納でき、また開閉動作もスムーズであるシャッターの格納装置を提供する。【解決手段】  開口部２の一側部から内奥部へと連続する格納部４を設け、格納部の奥部へシャッター３を摺動案内する案内溝１２を設け、案内溝の内側壁をガイドレール１３とし、格納部の奥部においてガイドレールが渦巻き状に収束し、渦巻き状収束部１３Ａより開口部側へ案内溝に連通する幅広の格納溝１４を設け、シャッターの戸尻端のスラットに、ガイドレールを受け入れて摺動する先導部材７を回動可能に設け、先導部材が渦巻き状収束部の終端部に至って拘束された状態で、シャッターの戸尻部分が屈曲部３Ａを開口部側へ向けてＵ字状に折畳まれて格納される。【選択図】        図８
2019031882.tif 000002
【特許請求の範囲】
【請求項１】
キャビネットの開口部を、複数のスラットを一方向へ屈曲可能に連結したシャッターで開閉するシャッターの格納装置であって、前記開口部の左右一側部又は左右両側部又は上部から内奥部へと連続する格納部を設け、前記開口部の間口に沿うとともに、前記格納部の奥部へ前記シャッターのスラット端部を摺動案内する案内溝を設け、該案内溝の内側壁をガイドレールとし、前記格納部の奥部の方向転換位置において前記ガイドレールが渦巻き状に収束し、該渦巻き状収束部より開口部側へ前記案内溝に連通する幅広の格納溝を設け、前記シャッターの戸尻端のスラットに、前記ガイドレールを受け入れて摺動する先導部材を回動可能に設け、該先導部材が前記渦巻き状収束部の終端部に至って拘束された状態で、前記格納溝内において前記シャッターの戸尻端より戸先側部分が、屈曲部を前方へ向けてＵ字状に折畳まれて格納されることを特徴とするシャッターの格納装置。
【請求項２】
前記先導部材は、前記スラットの端部側に有するスラット同士を屈曲可能に係合する係合溝内に支軸を回転可能に嵌挿し、該支軸の反対側に前記ガイドレールを受け入れる少なくとも二股状になる形態の係合部を設けてなる請求項１記載のシャッターの格納装置。
【請求項３】
前記先導部材の係合部は、前記ガイドレールの案内溝とは反対面に摺接する主ピンと、前記案内溝内に位置する一つ又は二つの複ピンである請求項２記載のシャッターの格納装置。
【請求項４】
前記シャッターの戸尻端のスラットの一端部若しくは両端部を、その他のスラットより短く切断し、該スラットの切断端部に前記先導部材を装着してなる請求項１〜３何れか１項に記載のシャッターの格納装置。
【発明の詳細な説明】
【技術分野】
【０００１】
本発明は、シャッターの格納装置に係わり、更に詳しくはキャビネットの開口部を開閉するシャッターの格納装置に関するものである。
【背景技術】
【０００２】
従来から、複数のスラットを一方向に屈曲可能に連結したシャッターを、開口部を開閉するために用いたシャッター付きキャビネットは各種提供されている。通常、前記シャッターを開くために、その戸尻部分を格納するための格納部をキャビネットの内部に設けている。横開き式のシャッターでは、キャビネットの側板の内側部分に格納部を設け、上開き式のシャッターでは、キャビネットの天板の下側部分に格納部を設けている。ここで、開口部の間口が広い場合、キャビネット等の奥行幅だけではシャッターが収まらないので、奥部でＵターンさせて格納する構造も提供されている。
【０００３】
特許文献１には、キャビネットの前面開口の側端部から湾曲してキャビネットの内部へ延び、更に内部空間側部に沿って奥端部まで延び、それから前方へＵ字状に折り返した案内溝を設け、シャッターを該案内溝に沿ってＵ字状に屈曲して格納する基本構造が記載されている。ここで、シャッターを格納部の奥部でＵ字状に屈曲して格納する構造を一つ折り格納構造と称する。
【０００４】
特許文献２には、案内溝の方向変換部において、曲率半径の内側に垂直軸を有するローラーを配置し、その外側の曲率半径に沿って転子を複数配置し、シャッターの内面と外面を前記ローターと転子で接触案内し、屈曲に対する抵抗を少なくする構造が記載されている。また、特許文献３には、上方の案内溝の代わりにガイドレールを設け、シャッターの背面に設けた転動輪を前記ガイドレールの上を転動させるとともに、方向変換部の内側に垂直軸を有する案内ローラーを設けた構造が記載されている。更に、特許文献４には、車庫や店舗の上開きシャッター装置のように、空間部の上部にシャッターの戸尻部分を巻き取る巻き取り装置を設けた構造が記載されている。
【０００５】
しかし、特許文献１〜３に示すように、シャッターの戸尻部分を平面視Ｕ字状に屈曲して格納部に格納する構造のものは、開口部の間口が更に広い場合には限界がある。一方、特許文献４に示すように、シャッターの戸尻部分を巻き取る構造は、開口部の間口が更に広い場合に有利であるが、格納部として広い空間が必要となり、キャビネットの収容空間を狭めることになる。
【先行技術文献】
【特許文献】
【０００６】
【特許文献１】実公平２−４２８７６号公報
【特許文献２】実公平２−４２８７８号公報
【特許文献３】実公平２−４２８７９号公報
【特許文献４】実公平８−２３８８号公報
【発明の概要】
【発明が解決しようとする課題】
【０００７】
そこで、本発明が前述の状況に鑑み、解決しようとするところは、キャビネットの開口部を開閉するシャッターの格納装置において、開口部の間口がキャビネットの奥行に対して相対的に広い場合でもシャッターの戸尻部分を小スペースの格納部に屈曲状態で格納することができ、また開閉動作もスムーズであるシャッターの格納装置を提供する点にある。
【課題を解決するための手段】
【０００８】
本発明は、前述の課題解決のために、以下に構成するシャッターの格納装置を提供する。
【０００９】
（１）
キャビネットの開口部を、複数のスラットを一方向へ屈曲可能に連結したシャッターで開閉するシャッターの格納装置であって、前記開口部の左右一側部又は左右両側部又は上部から内奥部へと連続する格納部を設け、前記開口部の間口に沿うとともに、前記格納部の奥部へ前記シャッターのスラット端部を摺動案内する案内溝を設け、該案内溝の内側壁をガイドレールとし、前記格納部の奥部の方向転換位置において前記ガイドレールが渦巻き状に収束し、該渦巻き状収束部より開口部側へ前記案内溝に連通する幅広の格納溝を設け、前記シャッターの戸尻端のスラットに、前記ガイドレールを受け入れて摺動する先導部材を回動可能に設け、該先導部材が前記渦巻き状収束部の終端部に至って拘束された状態で、前記格納溝内において前記シャッターの戸尻端より戸先側部分が、屈曲部を前方へ向けてＵ字状に折畳まれて格納されることを特徴とするシャッターの格納装置。
【００１０】
（２）
前記先導部材は、前記スラットの端部側に有するスラット同士を屈曲可能に係合する係合溝内に支軸を回転可能に嵌挿し、該支軸の反対側に前記ガイドレールを受け入れる少なくとも二股状になる形態の係合部を設けてなる（１）記載のシャッターの格納装置。
【００１１】
（３）
前記先導部材の係合部は、前記ガイドレールの案内溝とは反対面に摺接する主ピンと、前記案内溝内に位置する一つ又は二つの複ピンである（２）記載のシャッターの格納装置。
【００１２】
（４）
前記シャッターの戸尻端のスラットの一端部若しくは両端部を、その他のスラットより短く切断し、該スラットの切断端部に前記先導部材を装着してなる（１）〜（３）何れか１に記載のシャッターの格納装置。
【発明の効果】
【００１３】
以上にしてなる本発明のシャッターの格納装置は、以下に示す効果を奏する。
【００１４】
（１）の構成によれば、格納部で奥部と開口部側でそれぞれＵ字状に折畳まれた二つ折り格納構造を実現でき、それにより開口部の間口が広い場合でもシャッターの戸尻部分を小スペースの格納部に屈曲状態で格納することができ、また開閉動作もスムーズである。しかも、ガイドレールを内側壁に有する案内溝と格納溝を備えたガイド部材を格納部の上下部又は両側部に設置するとともに、先導部材を戸尻端のスラットに回動可能に装着するだけで構成でき、コストダウンが図れる。また、先導部材は、スラットに回動可能に装着しているので、ガイドレールに沿って、特に渦巻き状収束部に沿っての案内がスムーズになるとともに、剛体のスラットと先導部材との回動であるので、繰り返しの開閉操作においても耐久性を備えている。
【００１５】
（２）の構成によれば、シャッターの戸尻端のスラットをガイドレールに沿って案内することができ、特にシャッターの格納部内への格納動作がスムーズになる。また、先導部材の支軸を、スラットの端部側に有するスラット同士を屈曲可能に係合する係合溝内に回転可能に嵌挿するだけであるので、先導部材のスレットへの取付けが容易であり、その上、スラットの一端又は両端に選択的に先導部材を装着することができる。
【００１６】
（３）の構成によれば、先導部材の係合部を、前記ガイドレールの案内溝とは反対面に摺接する主ピンと、前記案内溝内に位置する一つ又は二つの複ピンで講師したので、ガイドレールに対する摺動抵抗が少なく、戸尻端のスラットをスムーズに案内することができる。また、先導部材の主ピンが、ガイドレールの渦巻き状収束部の終端部に至ると、該集端部で拘束されるが、戸尻端のスラットに対して回動可能に先導部材を装着しているので、拘束された後のシャッターの戸尻部分が前方へＵ字状に屈曲して折畳まれる動作がスムーズである。
【００１７】
（４）の構成によれば、シャッターの戸尻端のスラットに特殊なものを用いなくても、その他のスラットと同一のスラットの端部を切断して短くするだけの加工で転動部材を両端部に回動可能に装着することができる。
【図面の簡単な説明】
【００１８】
【図１】本発明のシャッターの格納装置を採用したキャビネットの斜視図である。
【図２】シャッターと格納部内に設置するガイド部材との関係を示す部分斜視図である。
【図３】同じくシャッターと格納部内に設置するガイド部材との関係を示す部分分解斜視図である。
【図４】シャッターの戸尻端のスラットと先導部材の関係を示す分解斜視図である。
【図５】シャッターの戸尻部分の格納部への格納動作を示し、シャッター閉止時の部分横断平面図である。
【図６】シャッターの戸尻部分の格納部への格納動作を示し、シャッターの戸尻端が方向変換位置に達した時の部分横断平面図である。
【図７】シャッターの戸尻部分の格納部への格納動作を示し、シャッターの戸尻端が方向変換位置に設けた渦巻き状収束部で拘束された時の部分横断平面図である。
【図８】シャッターの戸尻部分の格納部への格納動作を示し、シャッターの戸尻端が方向変換位置に設けた渦巻き状収束部で拘束され、更に戸尻部分が前方へＵ字状に屈曲した時の部分横断平面図である。
【図９】シャッターの戸尻部分の格納部への格納動作を示し、シャッターが略開放され、シャッターの戸尻部分が前方へＵ字状に屈曲して折畳まれた時の部分横断平面図である。
【発明を実施するための形態】
【００１９】
次に、添付図面に示した実施形態に基づき、本発明を更に詳細に説明する。図１は本発明の使用状態を示すキャビネットの斜視図、図２〜図４は本発明の要部を示し、図５〜図９はシャッターの戸尻部分の格納部への格納動作を示し、図中符号１はキャビネット、２は開口部、３はシャッター、４は格納部、５はスラット、６はガイド部材、７は先導部材をそれぞれ示している。
【００２０】
本実施形態のキャビネット１は、筐体８の前面開口部２に横開き式のシャッター３を設け、収納空間の右側の側部に格納部４を設けた構造であり、前記開口部２に沿った上下框に直線状案内溝９，９を設けるとともに、前記格納部４の上下部にガイド部材６，６を設けた構造である。前記シャッター３は、複数のスラット５，…を一方向へ屈曲可能に連結した構造であり、戸先端に引手１０を備えたスラット１１を連結し、戸尻端のスラット５Ａの上下両端部に、先導部材７，７を回動可能に設けている。尚、前記先導部材７は、戸尻端のスラット５Ａの下端部のみに取付けても良い。
【００２１】
尚、本実施形態では、シャッター３を横開き式としたので、前記格納部４を前記開口部２の左右一側部（右側側部）から内奥部へと連続するように設けたが、シャッター３を上開き式にした場合には、前記開口部２の上部から内奥部へと連続するように格納部を設ける。その場合には、前記ガイド部材６，６を格納部の左右に設ける。尚、左右両側にそれぞれシャッター３，３を設けて横開き式とする場合、左右両側部に格納部４，４を設ける。
【００２２】
前記ガイド部材６は、図３〜図５に示すように、合成樹脂の成形品であり、前記直線状案内溝９に連続し、格納部４の奥部へ前記シャッター３のスラット５，…端部を摺動案内する案内溝１２を設け、該案内溝１２の内側壁をガイドレール１３としている。前記案内溝１２は、前記直線状案内溝９に連続する１／４円弧状部１２Ａと筐体８の側面に沿って奥部へ延びる直線状部１２Ｂと、前記格納部４の奥部の方向転換位置において１／２円弧状部１２Ｃとからなり、前記ガイドレール１３は、前記格納部４の奥部の方向転換位置において渦巻き状に収束し、該渦巻き状収束部１３Ａを形成している。前記渦巻き状収束部１３Ａは、３６０°以上の回転角度位置、本実施形態では約４５０°の回転角度位置で終端となっている。更に、前記渦巻き状収束部１３Ａより開口部２側へ前記案内溝１２の１／２円弧状部１２Ｃに連通する幅広の格納溝１４を設けている。
【００２３】
そして、前記シャッター３の戸尻端のスラット５に、前記ガイドレール１３を受け入れて摺動する先導部材７，７を回動可能に設けている。前記先導部材７は、前記スラット５の端部側に有するスラット５，５同士を屈曲可能に係合する係合溝１５内に支軸１６を回転可能に嵌挿し、該支軸１６の反対側に前記ガイドレール１３を受け入れる少なくとも二股状になる形態の係合部１７を設けたものである。更に詳しくは、前記先導部材７の係合部１７は、前記ガイドレール１３の案内溝１２とは反対面に摺接する主ピン１８と、前記案内溝１２内に位置する一つ又は二つの複ピン１９，１９で構成する。尚、前記二つの複ピン１９，１９は繋がった板状ピンであっても良く、少なくとも前記ガイドレール１３を両側から挟んだ状態で係合する二股状になる形態であれば良い。
【００２４】
前記スラット５は、合成樹脂又はアルミニウムの押出し型材であり、中空本体部の一側に断面略Ｃ字形の前記係合溝１５を形成するとともに、反対側に該係合溝１５にスライド係合する円筒部２０を形成し、該円筒部２０を係合溝１５に長手方向からスライド係合するとともに、板状のくびれ部２１を前記係合溝１５のスリット部２２に位置させ、該くびれ部２１がスリット部２２で変位するだけの角度で隣接するスラット５，５同士の屈曲角度が決まる。
【００２５】
前記先導部材７は、平面視略扇形であり、扇の要の位置に前記支軸１６を設け、一方の複ピン１９を該支軸１６と同軸位置に設け、該複ピン１９を中心に扇の円弧部の両端位置に前記主ピン１８ともう一つの複ピン１９を設けている。
【００２６】
そして、前記シャッター３の戸尻端のスラット５Ａの一端部若しくは両端部を、その他のスラットより短く切断し、該スラット５の切断端部に前記先導部材７を前述のように装着する。ここで、戸尻端のスラット５Ａに先導部材７を装着した状態で、その他のスラット５と略同じ長さになるように設定している。
【００２７】
前記シャッター３の上下端部がそれぞれガイド部材６，６の案内溝１２，１２に沿って案内され、戸尻端の前記先導部材７，７の係合部１７が前記ガイドレール１３に係合した状態で案内される。
【００２８】
図５〜図９は、前記シャッター３の戸尻部分が格納部４へ格納される動作を示している。先ず、図５は、前記シャッター３の閉止時の状態を示し、シャッター３の戸尻端は案内溝１２の直線状部１２Ｂに位置している。それから、前記シャッター３の戸先端の引手１０も持って開くと、戸尻端は案内溝１２の直線状部１２Ｂから方向変換位置である１／２円弧状部１２Ｃに案内される。このとき、図６に示すように、前記先導部材７も係合部１７がガイドレール１３に係合しながら摺動し、渦巻き状収束部１３Ａまで案内される。
【００２９】
更に、前記シャッター３を開き、図７に示すように、前記先導部材７が渦巻き状収束部１３Ａの終端部まで来ると、該先導部材７は、渦巻き状収束部１３Ａに沿ってそれ以上前進しなくなって拘束される。その戸尻端が前記渦巻き状収束部１３Ａに拘束された状態で、更に前記シャッター３を開く、つまりシャッター３の戸尻部分を押し込むと、図８に示すように、前記格納溝１４で戸尻端より戸先側部分が前方へＵ字状に屈曲する。ここで、前方へＵ字状に屈曲した部分を屈曲部３Ａとする。更に、前記シャッター３を全開近くまで開くと、図９に示すように、前記屈曲部３Ａが開口部２側（前方）へ移動しながら更に深くＵ字状に折畳まれる。つまり、前記シャッター３の戸尻部分は、前記案内溝１２の１／２円弧状部１２Ｃと前記屈曲部３Ａの２箇所でＵ字状に折畳まれ、つまり二つ折り格納構造で格納される。
【００３０】
また、図９の二つ折り格納状態から、前記シャッター３を閉じると、該シャッター３の戸尻部分の前記屈曲部３Ａは奥部へ後退しながら、シャッター３は繰り出され、図７の開放時における拘束状態まで来ると、前記先導部材７は前記渦巻き状収束部１３Ａに沿って移動し、該シャッター３の戸尻部分は前記案内溝１２の１／２円弧状部１２Ｃから直線状部１２Ｂへ案内されて繰り出される。
【００３１】
尚、図５に示すように、前記格納部４は、キャビネット１の収容空間とは仕切板２３で区画されているとともに、前記案内溝１２の１／４円弧状部１２Ａの内側位置に遮蔽板２４を取付けて前記格納部４の内部が見えないようにしている。
【符号の説明】
【００３２】
１  キャビネット、
２  開口部、
３  シャッター、
３Ａ  屈曲部、
４  格納部、
５  スラット、
５Ａ  戸尻端のスラット、
６  ガイド部材、
７  先導部材、
８  筐体、
９  直線状案内溝、
１０  引手、
１１  スラット、
１２  案内溝、
１２Ａ  １／４円弧状部、
１２Ｂ  直線状部、
１２Ｃ  １／２円弧状部、
１３  ガイドレール、
１３Ａ  渦巻き状収束部、
１４  格納溝、
１５  係合溝、
１６  支軸、
１７  係合部、
１８  主ピン、
１９  複ピン、
２０  円筒部、
２１  くびれ部、
２２  スリット部、
２３  仕切板、
２４  遮蔽板。
【図１】
2019031882.tif 000003
【図２】
2019031882.tif 000004
【図３】
2019031882.tif 000005
【図４】
2019031882.tif 000006
【図５】
2019031882.tif 000007
【図６】
2019031882.tif 000008
【図７】
2019031882.tif 000009
【図８】
2019031882.tif 000010
【図９】
2019031882.tif 000011